(57)【特許請求の範囲】
【請求項１】
外装の一部分に、合板や鋼板の表面に木調の印刷加工を施したもの、木調に仕上げられたセラミックス製のもの、または、木粉と樹脂材料とを混練したものを材料とした人口木材からなるもの、からなる木調の化粧材が設けられるとともに、この化粧材と対応する内装の部分に実際の木板からなる化粧材が設けられてなることを特徴とする住宅建物。
【請求項２】
化粧材は、少なくとも窓サッシ周縁部分に設けられてなる請求項１記載の住宅建物。
【発明の詳細な説明】
【０００１】
【発明の属する技術分野】
本発明は、外壁の一部分が化粧材で化粧されてなる住宅建物に関するものである。
【０００２】
【従来の技術】
従来より、住宅建物の外装に特徴を持たせるため、外装の窓サッシ周縁部分に木調の化粧材を設けることが行われている。
【０００３】
【発明が解決しようとする課題】
しかし、上記従来の住宅建物の場合、外観上は、窓サッシが木柱間に嵌め込まれたように見えるものの、実際に部屋の中に入ると、窓サッシ周縁は内壁材で仕上げられているため、外装と内装との差が激しく、外装に比べて内装が見劣りしてしまうといった不都合を生じることとなる。
【０００４】
また、内装を見てしまうと、外装が化粧材を使用したものであることがわかってしまうので、外装から得られる高級感を損なってしまう。
【０００５】
本発明は、係る実情に鑑みてなされたものであって、外装と内装とを連動させることによって高級感を演出することができる住宅建物を提供することを目的としている。
【０００６】
【課題を解決するための手段】
上記課題を解決するための本発明の住宅建物は、外装の一部分に、合板や鋼板の表面に木調の印刷加工を施したもの、木調に仕上げられたセラミックス製のもの、または、木粉と樹脂材料とを混練したものを材料とした人口木材からなるもの、からなる木調の化粧材が設けられるとともに、この化粧材と対応する内装の部分に実際の木板からなる化粧材が設けられてなるものである。
【０００７】
また、上記住宅建物において、化粧材は、少なくとも窓サッシ周縁部分に設けられてなるものである。
【０００８】
【発明の実施の形態】
以下、本発明の実施の形態を図面を参照して説明する。
【０００９】
図１は、住宅建物１の外観を示し、図２は同住宅建物１の腰窓１０の部分を居室１ａ内から見た状態を示し、図３は通常の外壁２および内壁３の納まりを示し、図４は化粧材４ａ、４ｂおよび化粧板５ａ、５ｂを設けた部分の納まりを示している。
【００１０】
すなわち、この住宅建物１は、外壁２のうち、腰窓１０の周縁部分に化粧材４ａ、４ｂが設けられるとともに、内壁３のうち、この化粧材２０に対応する部分にも化粧板５ａ、５ｂが設けられている。
【００１１】
住宅建物１は、二階建てとなされており、一階１１に掃き出し窓１３が横並びで二つ設けられており、これら掃き出し窓１３の上方に庇１４が設けられている。この庇１４上の二階１２には、庇１４の幅の範囲内で、腰窓１０が横並びで四つ設けられている。
【００１２】
外壁２は、木造の躯体１５の外側に、下地板２１を貼設し、この下地板２１に金具（図示省略）を介して、全体的にサイディングボード２２を貼設して形成されている。この外壁２のうち、上記住宅建物１の庇１４の部分は、サイディングボート２２のさらに表面に、縦羽目板調に形成された化粧材４ｂが設けられている。また、腰窓１０の両側には、二階１２の高さ全体に渡って木柱調の化粧材４ａが設けられ、各腰窓１０の下側にも、この木柱調の化粧材４ａが設けられている。この木柱調の化粧材４ａは、サイディングボード２２の表面に、金具４１を介して固定される。ただし、腰窓１０の両側に設けられる化粧材４ａは、腰窓１０の枠部１０ａが既にサイディングボード２２よりも外側に出っ張っているので、サイディングボード２２の表面にバックアップ材２３を設け、この枠部１０ａとバックアップ材２３とを面一にしてから、これら枠部１０ａおよびバックアップ材２３の表面に金具４１を介して固定される。このようにバックアップ材２３を設けることにより、この腰窓１０の両側に設けられる化粧材４ａは、外壁２より外側に出っ張ってまさしく木柱のような状態で仕上げられることとなる。また、この木柱調の化粧材４ａによって区画された腰窓１０の下の空間のサイディングボード２２の表面には、上記庇１４の部分に設けたものと同じ縦羽目板調に形成された化粧材４ｂが設けられる。これらの縦羽目板調および木柱調の二種類の化粧材４ａ、４ｂは、下地材２１の表面ではなく、下地材２１の表面にサイディングボード２２を貼設して形成した外壁２のさらに表面を被覆するようにして構成されるため、化粧材４ａ、４ｂの材質いかんに係わらず、優れた耐火性を確保することができる。また、これらの縦羽目板調および木柱調の二種類の化粧材４ａ、４ｂによって、住宅建物１の外壁２は、窓庇１４の上の二階１２の部分が、木調に仕上げられた高級感のある外観となる。
【００１３】
なお、この化粧材４ａ、４ｂとしては、実際の木板を使用してもよいし、合板や鋼板の表面に木調の印刷加工を施したものを使用してもよいし、木調に仕上げられたセラミックス製のものを使用してもよいし、木粉と樹脂材料とを混練したものを材料とした人口木材からなるものを使用してもよい。
【００１４】
内壁３は、木造の躯体１５の内側に、石膏ボード３１を貼設し、この石膏ボード３１に壁紙３２を貼設して形成されている。この内壁３のうち、腰窓１０の両側には、二階１２の高さ全体に渡って木柱調となるように化粧板５ａが設けられている。この木柱調の化粧板５ａは、躯体１５に沿って、石膏ボード３１の表面にバックアップ材３３を設け、このバックアップ材３３の表面に貼設して仕上げられる。このバックアップ材３３を設けることにより、この木柱調の化粧板５ａは、室内側に出っ張ってまさしく木柱のような状態で仕上げられることとなる。また、この木柱調の化粧板５ａによって区画された腰窓１０の下の空間には、縦羽目板調となるように化粧板５ｂが設けられている。これら化粧板５ａ、５ｂは、腰窓１０の窓額縁３４、カーテンボックス３５、見切材３６、フローリング材３７と同調する木板を使用して構成される。
【００１５】
なお、この化粧板５ａ、５ｂとしては、上記外壁２に使用されている化粧材４ａ、４ｂと同様に、各種素材からなるものを使用することができるが、実際に居室１ａ内で人の手に触れて質感が見極められる箇所であり、かつ、上記化粧材４ａ、４ｂ程の耐候性が求められる箇所でも無いので、木製のものを使用することが好ましい。
【００１６】
この状態で住宅建物１は、外壁２の木柱調の化粧材４ａと対応する内壁３の位置に、木柱調の化粧板５ａが位置し、かつ、外壁２の縦羽目板調の化粧材４ｂと対応する内壁３の位置に、縦羽目板調の化粧板５ｂが位置するように構成されることとなる。
【００１７】
したがって、この住宅建物１は、外観からは、外壁２に設けた化粧材４ａ、４ｂにより、高級感が演出されるのに加え、居室１ａ内から見ても、この化粧材４ａ、４ｂと対応する内壁３の位置に、化粧材５ａ、５ｂが設けられているので、居室１ａ内は、外観に見劣りしない高級感が演出されることとなる。
【００１８】
また、この住宅建物１は、外壁２の腰窓１０の両側に木柱調の化粧材４ａを設け、内壁３の腰窓１０の両側に木柱調の化粧板５ａを設けているので、外観および内観の何れからみても、太い無垢の木柱に腰窓１０を固定したように見せることができ、住宅建物１の特徴となる優れた意匠性が得られるとともに、高級感を演出することができる。
【００１９】
なお、本実施の形態では、外壁２の木柱調の化粧材４ａと内壁３の木柱調の化粧板５ａとを対応させ、外壁２の縦羽目板調の化粧材４ｂと、内壁３の縦羽目板調の化粧板５ｂとを対応させているが、これら木柱調の化粧材４ａと化粧板５ａ、または縦羽目板調の化粧材４ｂと化粧板５ｂの何れか一方のみが対応するようになされたものであってもよい。
【００２０】
また、外壁２の化粧材４ａ、４ｂは、内壁３の化粧板５ａ、５ｂと対応する箇所以外に設けられていてもよく、内壁３の化粧板５ａ、５ｂについても、外壁２の化粧材４ａ、４ｂと対応する箇所以外に設けられていてもよい。本実施の形態において、内壁３の化粧板５ｂは、図２に示すように、外壁２の化粧材４ｂと対応しない箇所、すなわち、腰窓１０の両側に設けられた収納棚３８の下側にも設けられている。
【００２１】
さらに、本実施の形態では、住宅建物１は、腰窓１０の周縁の外壁２とそれに対応する内壁３の部分に、化粧材４ａ、４ｂおよび化粧板５ａ、５ｂを設けているが、これら腰窓１０に限定されるものではなく、掃き出し窓１３周縁、玄関ドア１６周縁などの各種開口部周縁であってもよい。また、このような腰窓１０などの開口部の周縁に関係無く、単なる外壁２の部分に化粧材４ａ、４ｂを設け、これに対応する内壁３の部分に化粧板５ａ、５ｂを設けるように構成したものであってもよい。
【００２２】
【発明の効果】
以上述べたように、本発明によると、外装の一部分に、合板や鋼板の表面に木調の印刷加工を施したもの、木調に仕上げられたセラミックス製のもの、または、木粉と樹脂材料とを混練したものを材料とした人口木材からなるもの、からなる木調の化粧材を設けるとともに、この化粧材と対応する内装の部分に実際の木板からなる化粧材を設けているので、外装と内装とを連動させることができる。したがって、住宅建物は、化粧材では無く、太い無垢の木柱で構成されているように見せることができ、高級感を演出することができる。
【００２３】
また、この化粧材を、少なくとも窓サッシの周縁部分に設けることで、窓サッシは、躯体を構成する太い木柱の間に嵌め込んだように見せることができる。
【図面の簡単な説明】
【図１】本発明に係る住宅建物の外観の概略を示す正面図である。
【図２】本発明に係る住宅建物の腰窓部分を居室内側から見た状態を示す部分斜視図である。
【図３】住宅建物における壁の納まりを示す部分破断斜視図である。
【図４】（ａ）は図１のI-I 線における化粧材の納まりを示す断面図、（ｂ）は図１のII-II 線における化粧材の納まりを示す断面図である。
【符号の説明】
１  住宅建物
１０  腰窓（窓サッシ）
２  外壁
３  内壁
４ａ  化粧材
４ｂ  化粧材
５ａ  化粧板（化粧材）
５ｂ  化粧板（化粧材）
【図１】
0003907979.tif 000002
【図２】
0003907979.tif 000003
【図３】
0003907979.tif 000004
【図４】
0003907979.tif 000005